【手続補正書】
【提出日】平成20年3月12日(2008.3.12)
【手続補正１】
【補正対象書類名】明細書
【補正対象項目名】０００３
【補正方法】変更
【補正の内容】
【０００３】
従来の技術では、通常の観察にはキセノンランプやハロゲンランプ等を光源として可視光用のカットフィルタとグラスファイバーのライトガイドを用い、赤外光による観察では赤外光用のフィルタを用い、紫外光による観察では紫外光用フィルタと、透過率の問題から液体ライトガイドを用いるのが一般的であるが、特許文献１に記載された電子内視鏡においては、積層型ＬＥＤランプを用いて、可視光観察モードと不可視光観察モードの切り替えによりＬＥＤランプの発光と画像信号処理を制御することで、各波長ごとに光学フィルタを用意する必要がないという例がある。
【手続補正２】
【補正対象書類名】明細書
【補正対象項目名】００１９
【補正方法】変更
【補正の内容】
【００１９】
また、図１において、接眼レンズ１５ａ，１５ｂに代わって結像レンズ１４ａ，１４ｂの結像位置に撮像素子を設け、可視光観察も電子化するようにしてもよい。そうすることにより、同様の効果が得られると共に、表示画像編集の自由度が増す。
【手続補正３】
【補正対象書類名】明細書
【補正対象項目名】００２０
【補正方法】変更
【補正の内容】
【００２０】
第二実施例
図３は、本発明に係る医療用顕微鏡装置の第二実施例の全体構成図である。図３に示すように、この顕微鏡装置は、鏡体１０１と、ＣＣＵ１０２と、三次元モニタ１０３と、映像ケーブル１０４ａ，１０４ｂ、１０５ａ，１０５ｂと、照明制御装置１０６とから構成されている。ここで、映像ケーブル１０４ａ，１０４ｂの各一端は、鏡体１０１内のＣＡＭ１０７を介して撮像素子１０８ａ，１０８ｂに夫々接続され、各他端はＣＣＵ１０２に夫々接続されている。
照明制御装置１０６は、ＬＥＤ光源ユニット１０９とＣＣＵ１０２の双方の同期をとることができるように、電気的に接続されている。
【手続補正４】
【補正対象書類名】明細書
【補正対象項目名】００２１
【補正方法】変更
【補正の内容】
【００２１】
鏡体１０１には、例えば、白色光ＬＥＤと近赤外光ＬＥＤとからなるＬＥＤ光源ユニット１０９と、照明用レンズ群１１０と、対物レンズ１１１と、三角プリズム１１２と、変倍レンズ群１１３と、フィルタユニット１１４と、結像レンズ１１５ａ，１１５ｂと、撮像素子１０８ａ，１０８ｂとが設けられている。フィルタユニット１１４は、モータ１２０の駆動軸１２１に取り付けられたピニオン１２２に接続され、光軸１１４−１を中心に回転可能に配置されている。
ＬＥＤ光源ユニット１０９に実装されたＬＥＤ光源は、図２に示すように、各光源種類の集光光軸中心が同軸になるように配置されている。
撮像素子１０８ａ，１０８ｂは、結像レンズ１１５ａ，１１５ｂの結像位置に設けられている。
【手続補正５】
【補正対象書類名】明細書
【補正対象項目名】００２８
【補正方法】変更
【補正の内容】
【００２８】
第三実施例
図５は、本発明に係る医療用顕微鏡装置の第三実施例の全体構成図である。図５に示すように、この顕微鏡装置は、鏡体２０１と、ＣＣＵ２０２と、三次元モニタ２０３と、映像ケーブル２０４ａ，２０４ｂ、２０５ａ，２０５ｂと、照明制御装置２０６とから構成されている。ここで、映像ケーブル２０４ａ，２０４ｂの各一端は、鏡体２０１内のＣＡＭ基板２０７ａ，２０７ｂを介して撮像素子２０８ａ，２０８ｂに夫々接続され、各他端はＣＣＵ２０２に夫々接続されている。
【手続補正６】
【補正対象書類名】明細書
【補正対象項目名】００２９
【補正方法】変更
【補正の内容】
【００２９】
鏡体２０１には、例えば、白色光のＬＥＤを実装したＬＥＤ光源ユニット２０９と、照明用拡散板２１０と、対物レンズ２１１と、照明光遮蔽板２１２と、変倍レンズ群２１３ａ，２１３ｂと、撮像素子２０８ａ，２０８ｂとが設けられている。
ＬＥＤ光源ユニット２０９に実装されたＬＥＤ光源２１５は、図６に示すように、観察光軸中心とＬＥＤの集光光軸中心が略同軸になるように配置される部分と、更に観察光軸の外周にも同心円状に観察光軸中心とＬＥＤの集光光軸中心が略同軸になるように配置される部分を有する。つまり、観察光軸内側のコンパクトな同軸照明と、観察光軸外側の同軸リング照明の両方を備えている。
撮像素子２０８ａ，２０８ｂは、結像レンズ２１４ａ，２１４ｂの結像位置に設けられている。
【手続補正７】
【補正対象書類名】明細書
【補正対象項目名】００３０
【補正方法】変更
【補正の内容】
【００３０】
第三実施例は、上記のように構成されているから、ＬＥＤ光源ユニット２０９は、照明制御装置２０６によって、観察光軸内側に密集したＬＥＤのみを発光させることも、観察光軸外側のリング状ＬＥＤの少なくとも一部のみを発光させることも、それらの両方を所望のデューティ比で交互に発光させることもでき、その発光タイミングに対して、ＣＣＵ２０２と同期を取ってＣＡＭ基板２０７ａ，２０７ｂを制御し、照明方法の異なる観察像を交互に得ることができる。
【手続補正８】
【補正対象書類名】明細書
【補正対象項目名】００３２
【補正方法】変更
【補正の内容】
【００３２】
ＬＥＤ光源ユニット２０９で発せられた光は、照明光遮光板２１２によって、変倍レンズ群２１３ａ，２１３ｂに迷光が入らないようになっており、照明光拡散板２１０を通り、照野ムラが取除かれて均一に被検体を照明し、照明された被検体からの反射光は、対物レンズ２１１を通り、変倍レンズ群２１３ａ，２１３ｂを通り、結像レンズ２１４ａ，２１４ｂを通って結像される。その結像位置で撮像素子２０８ａ，２０８ｂに取り込まれて、ＣＡＭ基板２０７ａ，２０７ｂで画像構築され、映像ケーブル２０４ａ，２０４ｂを介してＣＣＵ２０２に入力される。
ＣＣＵ２０２で処理され、明視野照明観察像に暗視野照明観察像をオーバーレイした画像や、明視野照明観察像の表示内の子画面に暗視野照明観察像を挿入した画像は、映像ケーブル２０５ａ，２０５ｂを介して、モニタ２０３に入力されて表示される。
【手続補正９】
【補正対象書類名】明細書
【補正対象項目名】００４６
【補正方法】変更
【補正の内容】
【００４６】
１、１０１、２０１                       鏡体
２、１０２、２０２                       三次元カメラコントロールユニット
３、１０３、２０３                       表示モニタ
４ａ、４ｂ、６ａ、６ｂ、５               映像ケーブル
７，１０７，２０７ａ、２０７ｂ           カメラ映像処理基板
８ａ、８ｂ、１０８ａ、１０８ｂ、２０８ａ、２０８ｂ     撮像素子
９、１０９、２０９                       ＬＥＤ光源ユニット
１０、１１０                             照明用レンズ群
１１、１１１、２１１                     対物レンズ
１２、１１３、２１３ａ、２１３ｂ         変倍レンズ群
１３                                     ダイクロイックミラー
１４ａ、１４ｂ、１６ａ、１６ｂ           結像レンズ
１５ａ、１５ｂ                           接眼レンズ
１７ａ、１７ｂ                           視野内表示画面
１０６                                   照明制御装置
１０９−１、１１４−１                   光軸
１１２                                   三角プリズム
１１４                                   フィルタユニット
１１５ａ、１１５ｂ                       結像レンズ
１１６、１１７                           フィルタ
１２０                                   モータ
１２１                                   駆動軸
１２２                                   ピニオン
１２３                                   モータドライバ
２０４ａ、２０４ｂ、２０５ａ、２０５ｂ   映像ケーブル
２１０                                   照明用拡散板
２１２                                   照明光遮蔽板
２１４ａ、２１４ｂ                       結像レンズ
２１５                                   ＬＥＤ光源